(57)【特許請求の範囲】
【請求項１】
グレーチング蓋１に固着される水平ベース板２の下面側に前後一対の内側軸受板３，４と前後一対の外側軸受板５，６を相互に平行に突設し、内側軸受板３，４の間に挿入したロック板４５を内側軸受板３，４の軸受孔７，８と外側軸受板５，６の軸受孔９，１０に嵌挿した第１枢軸１１によって回転可能に支持し、内側軸受板３，４の側方に突出するロック板４５の一側の端部にＶ字状に開いた錠止溝部１２を上位側の受動突子１３と下位側の停止突子１４によって形成し、第１枢軸１１に関して錠止溝部１２とは反対側にあるロック板４５の端部に第１枢軸１１と平行な第２枢軸１５によってバネサポート１６の先端部を枢着し、バネサポート１６の基端部にバネサポート１６の長さ方向に長いガイド溝１７を形成し、内側軸受板３，４の内端部の軸受孔１８，１９に支持させたガイド軸２０をガイド溝１７に嵌挿し、バネサポート１６に嵌めた圧縮コイルバネ２１をバネサポート１６の先端側の段差状肩部２２とガイド軸２０との間で圧縮してデッドポイント機構を構成し、共同溝等の出入り口部の固定枠体２３に突設した受金棒２４が錠止溝部１２の最深部に係合しているとき、停止突子１４が受金棒２４を水平ベース板２に向けて押圧するように圧縮コイルバネ２１の弾性反発力を作用させ、内側軸受板３，４の内端部に隣接させて垂直ベース板２５を水平ベース板３の下面側に固着し、垂直ベース板２５の下端部にソレノイドユニット２６を水平に配置して固着し、第１枢軸１１と平行に配置したソレノイドユニット２６のプランジャー２７の先端部に連動リンク２８の基端部を垂直ピン２９によって枢着し、連動リンク２８の中間部を垂直枢軸３０によって水平ベース板３に枢着し、連動リンク２８の先端部にストッパーピン３１を垂直ピン３２によって枢着し、ストッパーピン３１を外側軸受板５の透孔３３と内側軸受板３の透孔３４に嵌挿し、ストッパーピン３１の先端部をロック板４５の制止肩部３５に係合させた共同溝等のグレーチング蓋用施錠装置。
【発明の詳細な説明】
【０００１】
【発明の属する技術分野】
本発明は、通信ケ−ブル等を収容する共同溝等の出入り口部に使用されるグレ−チング蓋用施錠装置に関するものである。
【０００２】
【従来の技術】
従来のグレーチング蓋用施錠装置では、ケースの上面パネルの中央透孔よりＴ字形ハンドル鍵を施錠軸の上端部の鍵孔に挿入し、該ハンドルで施錠軸を所定方向に回転させると、該施錠軸に連動装備されたカムがスライド板を所定方向に摺動させ、該スライド板により止め金板を上端部の水平枢軸を中心に解錠方向に回転させるため、止め金板の下端部のフック部が固定枠体側の受金板から離脱するようになっている（例えば実開平３−１８３６９号公報参照）。
この従来装置では、無権限者による施錠軸への接近を防止するために、上面パネルに錠前ユニットを別に設け、該錠前ユニットの操作によって駆動されるシャッター部材によって上面パネルの中央透孔から施錠軸の鍵孔への通路を遮断する防護機構を組み込んである。
【０００３】
しかしながら、この従来装置では、前記防護機構の構造が複雑であるため、製作組立のコストがかさむだけでなく、グレーチング蓋用施錠装置は露天使用されるため、複雑な防護機構は故障の原因となった。また、錠前ユニットとシャッター部材の操作に手間取るため、グレーチング蓋の開放操作を迅速に行えない。
【０００４】
別の従来のグレ−チング蓋用施錠装置では、グレ−チング蓋に固着される上面パネルの下側にケースを固着し、上面パネルの中央透孔に開口した鍵挿入孔をケースに設け、防護キャップの円形上盤部を上面パネルの中央透孔に嵌め込み、上盤部の下側に連設した円筒部をケースの鍵挿入孔に嵌め込み、上盤部の下面側に鉄コア４固着し、ケースには鍵挿入孔より下側空間に施錠軸を垂直に設け、Ｔ字型のハンドル鍵の一端部の鍵部が挿入される鍵孔を施錠軸の上端部に設け、施錠軸の下端部に固設したカムに駆動されて水平方向に摺動するスライド板を設け、止め金板の中間部に連結ピンによってスライド板の先端部に連結し、止め金板の上端部を水平枢軸によってケースに枢着し、固定枠体に固着された受金板と係脱するフック部を止め金板の下端部に設け、ハンドル鍵の他端部に吸着部を設け、防護キャップの鉄コアを吸着するマグネットを吸着部に埋設している（例えば特許第２６６８３４９号公報参照）。
【０００５】
この別の従来装置では、止め金板を施解錠位置に駆動する機構部は、上面パネルの中央透孔に開口した鍵挿入孔を設けた円筒形ケースと、ケースの下側空間に回転可能に嵌められた施錠軸と、施錠軸の鍵孔に挿入される鍵部を有するＴ字型のハンドル鍵と、施錠軸の下端部のカムに駆動されて水平方向に摺動するスライド板とによって構成されており、駆動機構の構造が複雑であるため、製作組立のコストが軽減できないだけでなく、いくら防護キャップを円筒形ケースに嵌めても、雨水や泥水中の微細な砂塵粒子が、閉じられた空間であるケース内部に侵入するのを完全に防止することはできず、長期使用によって侵入堆積した砂塵粒子が施錠軸の外周面とケース内周面間で目詰まりしたり、両者の遊隙内部で固結現象を起したりして、施錠軸の作動不良を招くことは避けられない。
また、円筒形ケースを垂直に配置し、これに隣接させて縦長の止め金板をフック部がケースの下面レベルより下方に突き出すように配備してあるため、装置全体の縦横寸法が比較的大きく、嵩張るものとなっている。
【０００６】
【発明が解決しようとする課題】
したがって本発明の目的は、雨水中の砂塵粒子の目詰まりによるロック部材の作動不良がなく、装置全体の縦横寸法を小型化できる共同溝等のグレーチング蓋用施錠装置を提供することである。
【０００７】
【課題を解決するための手段】
上記課題を達成するために本発明のグレーチング蓋用施錠装置では、グレーチング蓋１に固着される水平ベース板２の下面側に前後一対の内側軸受板３，４と前後一対の外側軸受板５，６を相互に平行に突設し、内側軸受板３，４の間に挿入したロック板４５を内側軸受板３，４の軸受孔７，８と外側軸受板５，６の軸受孔９，１０に嵌挿した第１枢軸１１によって回転可能に支持し、内側軸受板３，４の側方に突出するロック板４５の一側の端部にＶ字状に開いた錠止溝部１２を上位側の受動突子１３と下位側の停止突子１４によって形成し、第１枢軸１１に関して錠止溝部１２とは反対側にあるロック板４５の端部に第１枢軸１１と平行な第２枢軸１５によってバネサポート１６の先端部を枢着し、バネサポート１６の基端部にバネサポート１６の長さ方向に長いガイド溝１７を形成し、内側軸受板３，４の内端部の軸受孔１８，１９に支持させたガイド軸２０をガイド溝１７に嵌挿する。
【０００８】
前記バネサポート１６に嵌めた圧縮コイルバネ２１をバネサポート１６の先端側の段差状肩部２２とガイド軸２０との間で圧縮してデッドポイント機構を構成し、共同溝等の出入り口部の固定枠体２３に突設した受金棒２４が錠止溝部１２の最深部に係合しているとき、停止突子１４が受金棒２４を水平ベース板２に向けて押圧するように圧縮コイルバネ２１の弾性反発力を作用させ、内側軸受板３，４の内端部に隣接させて垂直ベース板２５を水平ベース板３の下面側に固着し、垂直ベース板２５の下端部にソレノイドユニット２６を水平に配置して固着し、第１枢軸１１と平行に配置したソレノイドユニット２６のプランジャー２７の先端部に連動リンク２８の基端部を垂直ピン２９によって枢着し、連動リンク２８の中間部を垂直枢軸３０によって水平ベース板３に枢着し、連動リンク２８の先端部にストッパーピン３１を垂直ピン３２によって枢着し、ストッパーピン３１を外側軸受板５の透孔３３と内側軸受板３の透孔３４に嵌挿し、ストッパーピン３１の先端部をロック板４５の制止肩部３５に係合させる。
【０００９】
【発明の作用】
グレーチング蓋１が閉鎖位置にある場合には、固定枠体２３側の受金棒２４がロック板４５の錠止溝部１２の最深部に係合しており、グレーチング蓋１は固定枠体２３に対して開放不能に拘束されている。このとき、圧縮コイルバネ２１の弾性反発力の着力点である第２枢軸１５は、ガイド軸２０と第１枢軸１１を結ぶ直線に関して水平ベース板２の反対側に位置しているため、図１及び図３においてロック板４５は第１枢軸１１を中心に時計回り方向に回転付勢されている。この回転付勢によって、錠止溝部１２の下位側溝壁面を形成する停止突子１４は、受金棒２４の一側面に当接して水平ベース板２に向けて押圧しており、受金棒２４の他側面が錠止溝部１２の上位側溝壁面を形成する受動突子１３に押し付けられている。
この押圧付勢によってロック板４５は受動突子１３の根元部において水平ベース板２の下面に押し付けられるため、ロック板４５は回転を阻止され、ロック板４５と受金棒２４の係合状態が維持されている。
【００１０】
ロック板４５がロック位置にあるとき、ソレノイドユニット２６のプランジャー２７は最も突出した位置にあり、図２において連動リンク２８は左下がりに傾斜配置され、ストッパーピン３１がロック板４５の制止肩部３５に係合している。そのため、ロック板４５は第１枢軸１１を中心として反時計回り方向に回転するのを制止されている。
要するにロック板４５は、圧縮コイルバネ２１を含むデッドポイント機構とストッパーピン３１によってロック位置に保持されるのである。
【００１１】
グレーチング蓋１のロックを解除して開放する場合には、作業者が携行して来たバッテリー等の適宜電源からソレノイドユニット２６のコイルに通電し、プランジャー２７をユニット本体側に吸引する。この吸引動作によって連動リンク２８が垂直枢軸３０を中心に図２において時計回り方向に回転するため、ストッパーピン３１が制止肩部３５との係合位置から引出される。
このようにストッパーピン３１によるロック板４５の反時計回り方向への回転拘束を解除した後、グレーチング蓋１を本施錠装置とは反対側に装備された蝶番を中心に開放回転させると、見掛け上、受金棒２４によって停止突子１４が押されるため、ロック板４５は前記デッドポイント機構による時計回り方向の回転付勢に抗して図３において反時計回り方向に回転する。
【００１２】
第２枢軸１５がガイド軸２０と第１枢軸１１を結ぶ直線を水平ベース板２側に越えた瞬間にデッドポイント機構の付勢方向が逆転し、ロック板４５は圧縮コイルバネ２１の弾性反発力によって反時計回り方向に急速回転する。この過程で受金棒２４は受動突子１３に押されて錠止溝部１２から押し出される。
このようにしてロック板４５と受金棒２４の係合が解除されるため、グレーチング蓋１はそのまま引き上げ開放される。ロックを解除した状態では、ロック板４５はデッドポイント機構による反時計回り方向の回転付勢によって、受動突子１３が斜め下向きに配置された待機位置に保持されている。
【００１３】
共同溝等での作業が終了し、グレーチング蓋１を前記蝶番軸を中心に閉鎖回転させると、回転終端域においてロック板４５の受動突子１３が受金棒２４に当接し、見掛け上、受動突子１３が受金棒２４に押圧される。
この押圧作用によってロック板４５はデッドポイント機構による反時計回り方向の回転付勢に抗して図３において時計回り方向に回転し、回転の途中で停止突子１４によって受金棒２４を捕捉し、錠止溝部１２内にくわえ込むことになる。
【００１４】
第２枢軸１５がガイド軸２０と第１枢軸１１を結ぶ直線を水平ベース板２の反対側に越えた瞬間にデッドポイント機構の付勢方向が逆転し、ロック板４５は圧縮コイルバネ２１の弾性反発力によって時計回り方向に急速回転する。これによって受金棒２４は錠止溝部１２の最深部に係合することになる。
このようにしてロック板４５と受金棒２４の係合が成立した後、ソレノイドユニット２６のコイルに逆方向に通電し、プランジャー２７をユニット本体から所定長さ突出させると、連動リンク２８が垂直枢軸３０を中心に図２において反時計回り方向（鎖線位置から実線位置の方向）に回転するため、ストッパーピン３１が押し込まれ、ストッパーピン３１の先端部がロック板４５の制止肩部３５と再び係合することになる。
【００１５】
【発明の実施の形態】
図示の実施例では、ロック板４５と内側軸受板３，４との間には筒型スペーサー３６が挿入されている。水平ベース板２と連動リンク２８の間には筒型スペーサー３７が挿入され、垂直枢軸３０は該スペーサー３７に嵌挿されている。このスペーサー３７によって連動リンク２８は水平ベース板２と平行に配置されている。連動リンク２８の基端部には長さ方向に長いスロット３８が形成され、垂直ピン２９は該スロット３８に嵌挿されている。
【００１６】
連動リンク２８の先端部には長さ方向に長いスロット３９が形成され、垂直ピン３２は該スロット３９に嵌挿されている。受金棒２４はＵ字状に曲げ加工されており、一対の脚部先端が受金ベース板４０に溶接されている。受金ベース板４０はボルト・ナットによって固定枠体２３に固着される。ソレノイドユニット２６は補助ブラケット板４１を介して垂直ベース板２５にボルト・ナットによって固着されている。外側軸受板５，６とソレノイドユニット２６と連動リンク２８を包囲する外壁板４２が水平ベース板２及び垂直ベース板２５に溶接されている。
【００１７】
水平ベース板２は、閉鎖したとき受金棒２４の上方に来るグレーチング蓋１の特定の格子目内に嵌め込まれ、上面板４３との間に取付枠材４４を挟んだ状態でボルト・ナットによって締付け固着されている。
【００１８】
【発明の効果】
以上のように本発明のグレ−チング蓋用施錠装置では、ロック板７が前後一対の内側軸受板３，４の間に挿入されて第１枢軸１１によって回転可能に支持され、錠止溝部１２を形成したロック板４５の一側の端部が内側軸受板３，４の側方に突出し、ロック板４５の他側の端部に第２枢軸１５によってバネサポート１６の先端部を枢着し、内側軸受板３，４の内端部の軸受孔１８，１９に支持させたガイド軸２０にバネサポート１６の基端部のガイド溝１７を嵌め、バネサポート１６に嵌めた圧縮コイルバネ２１をバネサポート１６の先端側の段差状肩部２２とガイド軸２０との間で圧縮し、バネサポート１６の下側空間に配置したソレノイドユニット２６のプランジャー２７の先端部に連動リンク２８の基端部を枢着し、連動リンク２８の中間部を垂直枢軸３０で水平ベース板３に枢着し、連動リンク２８の先端部にストッパーピン３１を枢着し、外側軸受板５と内側軸受板３に嵌挿したストッパーピン３１の先端部をロック板４５の制止肩部３５に係合させてあり、全ての部品及びそれらの連接箇所が開放空間に配置されており、砂塵粒子が堆積したり目詰まりする閉鎖空間が存在していないので、砂塵粒子が混入した雨水や泥水が水平ベース板２の下面側に回り込んでも、ロック板４５やバネサポート１６、連動リンク２８、ストッパーピン３１等の可動部品が作動不良を起すことがなく、軽快に作動する。
【００１９】
また、ロック板４５を内側軸受板３，４の軸受孔７，８と外側軸受板５，６の軸受孔９，１０に嵌挿した第１枢軸１１によって回転可能に支持し、内側軸受板３，４の側方に突出するロック板４５の一側の端部にＶ字状に開いた錠止溝部１２を形成し、ロック板４５の他側の端部に第１枢軸１１と平行な第２枢軸１５によってバネサポート１６の先端部を枢着し、内側軸受板３，４の内端部の軸受孔１８，１９に通したガイド軸２０をバネサポート１６のガイド溝１７に嵌挿し、圧縮コイルバネ２１の付勢下に揺動するバネサポート１６の下側空間にソレノイドユニット２６と連動リンク２８を配置し、連動リンク２８の先端に枢着したストッパーピン３１の先端部をロック板７の制止肩部３５に係合させたので、装置全体の縦横寸法が小型化され、設置スペースの縮減が可能である。
【００２０】
第１枢軸１１と平行に配置したソレノイドユニット２６のプランジャー２７の先端部に連動リンク２８の基端部を垂直ピン２９によって枢着し、連動リンク２８の中間部を垂直枢軸３０によって水平ベース板３に枢着し、連動リンク２８の先端部にストッパーピン３１を垂直ピン３２によって枢着し、外側軸受板５の透孔３３と内側軸受板３の透孔３４にストッパーピン３１を嵌挿したので、グレーチング蓋１を無理やり引き上げ回転させようとするとき、ロック板４５の制止肩部３５よりストッパーピン３１に付加された力が、ストレートにプランジャー２７を歪曲変形させる力として作用することはなく、ソレノイドユニット２６が破損したり故障することがない。
【００２１】
前記のように水平ベース板２の下面側に前後一対の内側軸受板３，４と前後一対の外側軸受板５，６が相互に平行に突設され、内側軸受板３，４の間に挿入したロック板４５が内側軸受板３，４の軸受孔７，８と外側軸受板５，６の軸受孔９，１０に嵌挿した第１枢軸１１によって枢着されているため、ロック板４５の回転支持機構は強固であり、クレーチング蓋１を介して大きな外力が作用してもロック板４５が変形したり揺らぐことがなく、安定に作動する。
【図面の簡単な説明】
【図１】  本発明の一実施例に係るグレーチング蓋用施錠装置の閉鎖ロック時の正面図である。
【図２】  図１のグレーチング蓋用施錠装置の底面図である。
【図３】  図１のグレーチング蓋用施錠装置の縦断面図である。
【符号の説明】
１  グレーチング蓋
２  水平ベース板
３  内側軸受板
４  内側軸受板
５  外側軸受板
６  外側軸受板
７  軸受孔
８  軸受孔
９  軸受孔
１０  軸受孔
１１  第１枢軸
１２  錠止溝部
１３  受動突子
１４  停止突子
１５  第２枢軸
１６  バネサポート
１７  ガイド溝
１８  軸受孔
１９  軸受孔
２０  ガイド軸
２１  圧縮コイルバネ
２２  段差状肩部
２３  固定枠体
２４  受金棒
２５  垂直ベース板
２６  ソレノイドユニット
２７  プランジャー
２８  連動リンク
２９  垂直ピン
３０  垂直枢軸
３１  ストッパーピン
３２  垂直ピン
３３  透孔
３４  透孔
３５  制止肩部
３６  筒型スペーサー
３７  筒型スペーサー
３８  スロット
３９  スロット
４０  受金ベース板
４１  補助ブラケット板
４２  外壁板
４３  上面板
４４  取付枠材
４５  ロック板
【図１】
0003682969.tif 000002
【図２】
0003682969.tif 000003
【図３】
0003682969.tif 000004